(57)【要約】【課題】ガスバリヤー性に優れ、かつ量産性に優れたインモールドラベル容器を提供する。【解決手段】インモールドラベル容器１０は、胴部１１と底部１２とを備えている。胴部１１はラベル５と射出樹脂８とを有する。底部１２に４本の半径方向リブ１７が設けられている。一つの半径方向リブ１７は、ラベル５の重なり部６に達する。【選択図】図６
2015182300.tif 000002
【特許請求の範囲】
【請求項１】
胴部と、
底部とを備え、
胴部は内面重なり部と外面重なり部とからなる重なり部を有するラベルと、ラベル内面に射出された射出樹脂とを有し、
底部は射出樹脂を有し、
底部に中央部を通るとともに内面側へ突出する少なくとも２本の半径方向リブを設け、一つの半径方向リブの半径方向外端はラベルの重なり部に達することを特徴とするインモールドラベル容器。
【請求項２】
胴部に、ラベルの重なり部に達する半径方向リブに連続して縦方向リブが設けられていることを特徴とする請求項１記載のインモールドラベル容器。
【請求項３】
半径方向リブは、ラベルの内面重なり部の端縁より、外面重なり部の端縁側にずれた位置に配置されていることを特徴とする請求項１または２記載のインモールドラベル容器。
【請求項４】
胴部に互いに９０°ずつ離間する４本の半径方向リブが設けられていることを特徴とする請求項１乃至３いずれか記載のインモールドラベル容器。
【請求項５】
胴部に各半径方向リブに連続して縦方向リブが設けられていることを特徴とする請求項１乃至４のいずれか記載のインモールドラベル容器。
【発明の詳細な説明】
【技術分野】
【０００１】
本発明は、確実なガスバリヤー性を得ることができるインモールドラベル容器に関する。
【背景技術】
【０００２】
インモールドラベル容器は、射出成形時に金型にあらかじめヒートシール層をもつラベルをセットしておき、成形時の樹脂のもつ熱でラベルのヒートシール層を射出樹脂表面に融着させることにより得られる（特許文献１参照）。
【０００３】
また従来より、ラベルの端部間は、０．６〜１．５ｍｍ程度の隙間をあけて樹脂の回り込みを防止している（特許文献２参照）。
【０００４】
しかしながら、この隙間部がノッチ効果となって、強度が弱くなることが知られており、その対応策として、この隙間部分を縦リブで補強する方法が考案されている（特許文献３参照）。
【０００５】
しかしながら、ガスバリヤー性の観点から考えると、ラベルで覆われないこの隙間部はガスバリヤー性の低下を招く。特許文献４にはラベルの端面を接続するとの記載があるが、特許文献４には樹脂の回り込みの対策については言及がない。
【先行技術文献】
【特許文献】
【０００６】
【特許文献１】特開平４−１４４２０号公報
【特許文献２】特開２００３−３１２６７８号公報
【特許文献３】特開２００９−７０４６号公報
【特許文献４】特開平５−３０１２４９号公報
【発明の概要】
【発明が解決しようとする課題】
【０００７】
本発明はこのような点を考慮してなされたものであり、胴部のラベルの一対の端部同士を重ねて重なり部を形成するとともに、この重なり部に射出樹脂が回り込むことがなく、強度の維持および確実なガスバリヤー性を得ることができるインモールドラベル容器を提供することを目的とする。
【課題を解決するための手段】
【０００８】
本発明は、胴部と、底部とを備え、胴部は内面重なり部と外面重なり部とからなる重なり部を有するラベルと、ラベル内面に射出された射出樹脂とを有し、底部は射出樹脂を有し、底部に中央部を通るとともに内面側へ突出する少なくとも２本の半径方向リブを設け、一つの半径方向リブの半径方向外端はラベルの重なり部に達することを特徴とするインモールドラベル容器である。
【０００９】
本発明は、胴部に、ラベルの重なり部に達する半径方向リブに連続して縦方向リブが設けられていることを特徴とするインモールドラベル容器である。
【００１０】
本発明は、半径方向リブは、ラベルの内面重なり部の端縁より、外面重なり部の端縁側にずれた位置に配置されていることを特徴とするインモールドラベル容器である。
【００１１】
本発明は、胴部に互いに９０°ずつ離間する４本の半径方向リブが設けられていることを特徴とするインモールドラベル容器である。
【００１２】
本発明は、胴部に各半径方向リブに連続して縦方向リブが設けられていることを特徴とするインモールドラベル容器である。
【発明の効果】
【００１３】
以上のように本発明によれば、胴部のラベルの一対の端部同士を重ねて重なり部を形成したので、ガスバリヤー性を向上させることができ、かつ容器の強度を維持することができる。また重なり部に射出樹脂が回り込むことがなく、量産に適した容器を得ることができる。
【図面の簡単な説明】
【００１４】
【図１】図１は本発明の実施の形態によるインモールドラベル容器を示す側面図。
【図２】図２はインモールドラベル容器を示す平面図。
【図３】図３はインモールドラベル容器を示す断面図。
【図４】図４はインモールドラベル容器の半径方向リブおよび縦方向リブを示す図。
【図５】図５はインモールドラベル容器を示す斜視図。
【図６】図６はラベルの重なり部を示す胴部の断面図。
【図７】図７はラベルを示す展開図。
【発明を実施するための形態】
【００１５】
以下、図面を参照して本発明の実施の形態について説明する。  
図１乃至図７は、本発明の実施の形態を示す図である。
【００１６】
図１乃至図７に示すように、インモールドラベル容器１０はフランジ部１４を有する略円筒状の胴部１１と、胴部１１の下方に連結された底部１２とを備え、底部１２の周縁に下方へ延びる突起部１３が形成されている。
【００１７】
このうち胴部１１は重なり部６をもって配置されたガスバリヤー性をもつラベル５と、ラベル５の内面に設けられた射出樹脂８とを有している。また底部１２は、射出樹脂８を有している。
【００１８】
このうち、ラベル５は一対の端縁５Ａ、５Ｂを有する扇形の形状をもち、湾曲状に組立てられて、重なり部６を形成している（図６および図７参照）。この場合、ラベル５の重なり部６は内面重なり部６ａと、外面重なり部６ｂとを有し、このようにラベル５が重なり部６を有するため、ラベル５の端縁５Ａ、５Ｂ間に隙間が形成されることがない。このためインモールドラベル容器１０は、全体としてガスバリヤー性を有するとともに、ラベル５に隙間が形成されることに起因する強度低下を招くことはない。またラベル５は、ガスバリヤー性を有する層を含むため、高いガスバリヤー性をもつ。
【００１９】
また、ラベル５の内面重なり部６ａと外面重なり部６ｂとからなる重なり部６の重なり幅は、０．１〜５ｍｍとなっている。また図３乃至図６に示すように、底部１２内面には、底部１２の中央部１２ａを通るとともに内面側（上方）へ突出する４本の半径方向リブ１７が設けられている。底部１２内面に設けられた４本の半径方向リブ１７は、互いに９０°ずつ離間して配置されている。
【００２０】
また各半径方向リブ１７の半径方向外端は胴部１１内面に達している。そして胴部１１内面には、４本の半径方向リブ１７に連結して縦方向に延びる縦方向リブ１８が設けられている。
【００２１】
このうち、一つの半径方向リブ１７の半径方向外端はラベル５の重なり部６まで達しており、重なり部６に達する半径方向リブ１７に連結して設けられた縦方向リブ１８は、ラベル５の重なり部６に沿って胴部１１内面に形成されている。
【００２２】
なお、ラベル５の重なり部６に沿って胴部１１の内面に形成された縦方向リブ１８は、底部１２から胴部１１の高さの約１／２程度まで縦方向に延びている。本実施の形態において、底部１２の半径方向リブ１７および胴部１１の縦方向リブは、いずれも１．０〜５．０ｍｍの幅を有し、他の部分に比べて０．０５〜０．２５ｍｍだけ厚い肉厚をもっている。
【００２３】
なお、底部１２内面に４本の半径方向リブ１７を設けた例を示したが、底部１２内面に中央部１２ａを通るとともに１８０°ずつ離間する２本の半径方向リブ１７を設けてもよく、底部１２内面に中央部１２ａを通るとともに１２０°ずつ離間する３本の半径方向リブ１７を設けてもよい。いずれの場合も、いずれか一つの半径方向リブ１７の半径方向外端はラベル５の重なり部６に達している。
【００２４】
また胴部１１の内面に形成された縦方向リブ１８は、底部１２から胴部１１の高さ１／３以上縦方向に延びていれば良く、胴部１１の高さの全長に渡って延びている必要はない。
【００２５】
ところで、図６に示すように、ラベル５の重なり部６に達する半径方向リブ１７は、重なり部６の内面重なり部６ａの端縁５Ａより、外面重なり部６ｂの端縁５Ｂ側へずれた位置に配置されている。
【００２６】
このように半径方向リブ１７を内面重なり部６ａの端縁５Ａより外面重なり部６ｂの端縁５Ｂ側へずらすことにより、後述のように射出樹脂８が重なり部６の内面重なり部６ａと外面重なり部６ｂとの間に回り込むことを防止することができる。
【００２７】
次にラベル５の材料について、以下説明する。  
ラベル５は、図７に示すように扇形の形状をもつように形成されている。
【００２８】
このような形をもつラベル５は、一般に、(i)接着層、(ii)印刷基材層、(iii)ガスバリヤー層、(iv)接着層から成る（ここで(i)の層と(ii)の層は兼用可能）。これら各層は、それぞれ独立して製膜し接着剤を介して貼合（ドライラミネーション）するか、または、その一部もしくは全層を溶融押出（ＥＣ、共押出）することで形成することもできる。また、用途・目的に応じて印刷基材層を省略することもできる。
【００２９】
印刷基材としてのフィルムは、一般に印刷可能なものであれば特に限定されず、例えば、ポリエステルフィルム、ポリプロピレンフィルム、ナイロンフィルム等が適宜使用できる。
【００３０】
ガスバリヤー層は、少なくとも酸素ガスバリヤー性を含み、好ましくは水蒸気ガスバリヤー性を含む。この様なガスバリヤー層としては、例えば、（ａ）アルミ箔（７〜２５μｍ）、（ｂ）金属又は金属酸化物を蒸着等でプラスチックフィルム等に積層したもの、例えば、酸化珪素蒸着プラスチックフィルム、酸化アルミ蒸着プラスチックフィルム、アルミ蒸着プラスチックフィルム、（ｃ）その他、ポリアクリロニトリル系樹脂、ＥＶＯＨ（エチレン酢酸ビニル共重合体ケン化物）、ＰＶＤＣ（ポリ塩化ビニリデン）フィルム、ＰＶＤＣコート二軸延伸プラスチックフィルム等が挙げられ、所望の性能に応じて適宜選択され得る。
【００３１】
接着層としては、射出樹脂と接着するものであれば特に限定されないが、通常、射出樹脂と同材質のプラスチックや、ＥＶＡ（エチレン・酢酸ビニル共重合体）を含有するポリエチレン等接着性を有する樹脂、又はそれら樹脂が共押し出し加工、あるいは、コーティング加工されたプラスチックフィルム等が好適に使用できる。
【００３２】
なお、上記各層は常法に従い、ドライラミネーション法、押出ラミネーション法、押出コーティング法その他のコーティング法によって形成される。
【００３３】
具体的には、ラベル５として、例えば以下の層構成のラベルを用いることができる。  
（１）  ヒートシール延伸ポリプロピレン層（ＨＳＯＰＰ）３０μ／アルミ箔７μ／ヒートシール延伸ポリプロピレン層（ＨＳＯＰＰ）３０μ
（２）  ヒートシール延伸ポリプロピレン層（ＨＳＯＰＰ）３０μ／ＶＭ−ＰＥＴ１２／ヒートシール延伸ポリプロピレン層（ＨＳＯＰＰ）３０μ
（３）  ヒートシール剤コーティング／延伸ポリプロピレン層（ＯＰＰ）３０μ／アルミ箔７μ／ヒートシール延伸ポリプロピレン層（ＨＳＯＰＰ）３０μ
また、本発明のインモールドラベル容器１０に用いられる射出樹脂８としては、射出成形可能な熱可塑性樹脂、例えば、ポリプロピレン、ポリエチレン、ポリスチレン等が使用され得る。
【００３４】
次にインモールドラベル容器の製造方法について述べる。  
まず金型（図示せず）内にラベル５を挿入する。
【００３５】
次に金型内へ射出樹脂８を底部１２の中央部１２ａ側から射出する。次に、金型内へ射出された射出樹脂８は中央部１２ａから底部１２周縁へ拡がっていくが、射出樹脂８は底部１２の中央部１２ａから半径方向リブ１７に沿って優先的に半径方向外方へ流れる。
【００３６】
この場合、一つの半径方向リブ１７はラベル５の重なり部６に達するため、この半径方向リブ１７に沿って流れる射出樹脂８は、ラベル５の重なり部６を金型壁面に向って半径方向外方へ押圧する。次に射出樹脂８は胴部１１の縦方向リブ１８に沿って縦方向上方へ上昇する。
【００３７】
このように、射出樹脂８はラベル５の重なり部６を金型壁面に向って半径方向外方へ押圧するため、重なり部６の内面重なり部６ａと外面重なり部６ｂとの間に射出樹脂８が回り込むことはない。
【００３８】
またラベル５の重なり部６に達する半径方向リブ１７は、ラベル５の内面重なり部６ａの端縁５Ａより外面重なり部６ｂの端縁５Ｂ側へずれた位置に配置されているため、射出樹脂８が内面重なり部６ａと外面重なり部６ｂとの間に回り込むことを確実に防止することができる。
【００３９】
さらにまた射出樹脂８は、半径方向リブ１７からラベル５の重なり部６に沿って設けられた縦方向リブ１８に沿って上昇するため、ラベル５の重なり部６を射出樹脂８により確実に加熱することができ、これによりラベル５の重なり部６を射出樹脂８の熱により容易かつ確実に接着することができる。
【００４０】
このように本実施の形態によれば、ラベル５は内面重なり部６ａと外面重なり部６ｂとを有する重なり部６を有するため、インモールドラベル容器１０のガスバリヤー性を全体として向上させることができる。またラベル５に隙間が形成されることがないので、落下時においてインモールドラベル容器１０に割れ等が生じることはなく、インモールドラベル容器１０全体の強度を高めることができる。
【００４１】
また底部１２に４本の半径方向リブ１７を設けるとともに、各半径方向リブ１７に連結して胴部１１に縦方向リブ１８を設け、一つの半径方向リブ１７がラベル５の重なり部６に達するため、射出樹脂８が重なり部６内に回り込むことを防止できる。このため量産性の良いインモールドラベル容器１０を提供することができる。
【００４２】
さらにまた底部１２上に半径方向リブ１７を等間隔で設けることにより、射出樹脂８の流動バランスを均一に保つことができる。
【符号の説明】
【００４３】
５  ラベル
５Ａ、５Ｂ  端縁
６  重なり部
６ａ  内面重なり部
６ｂ  外面重なり部
８  射出樹脂
１０  インモールドラベル容器
１１  胴部
１２  底部
１２ａ  中央部
１３  突起部
１４  フランジ部
１７  半径方向リブ
１８  縦方向リブ
【図１】
2015182300.tif 000003
【図２】
2015182300.tif 000004
【図３】
2015182300.tif 000005
【図４】
2015182300.tif 000006
【図５】
2015182300.tif 000007
【図６】
2015182300.tif 000008
【図７】
2015182300.tif 000009